(57)【要約】      （修正有）【課題】全系が小型で広画角でしかも高い光学性能が容易に得られるズームレンズを得ること。【解決手段】物体側から像側へ順に、負の屈折力の第１レンズ群Ｌ１と１つ以上のレンズ群を有する後群ＬＲから構成され、ズーミングに際して隣り合うレンズ群の間隔が変化するズームレンズにおいて、広角端から望遠端へのズーミングに際して第１レンズ群と後群の間隔は狭くなり、後群は正の屈折力であり、第１レンズ群は物体側より像側へ順に、像側のレンズ面が非球面形状で、該非球面量が正である第１非球面レンズと、物体側のレンズ面が非球面形状で、該非球面量が負である第２非球面レンズを有し、第１非球面レンズの物体側のレンズ面が球面形状の場合は曲率半径、非球面形状の場合は参照球面の半径をＲ１１、第１レンズ群のブロック長をＢＬＤ１とするとき、０．１０＜ＢＬＤ１／Ｒ１１＜１．００を満足すること。【選択図】図１
2015206976.tif 000002
【特許請求の範囲】
【請求項１】
物体側から像側へ順に、負の屈折力の第１レンズ群と１つ以上のレンズ群を有する後群から構成され、ズーミングに際して隣り合うレンズ群の間隔が変化するズームレンズにおいて、
広角端から望遠端へのズーミングに際して前記第１レンズ群と前記後群の間隔は狭くなり、
前記後群は正の屈折力を有し、前記第１レンズ群は物体側より像側へ順に、像側のレンズ面が非球面形状で、該非球面量が正である第１非球面レンズと、物体側のレンズ面が非球面形状で、該非球面量が負である第２非球面レンズを有し、
前記第１非球面レンズの物体側のレンズ面が球面形状の場合は曲率半径、非球面形状の場合は参照球面の半径をＲ１１、前記第１レンズ群のブロック長をＢＬＤ１とするとき、
０．１０＜ＢＬＤ１／Ｒ１１＜１．００
なる条件式を満たすことを特徴とするズームレンズ。
【請求項２】
前記第１非球面レンズの物体側のレンズ面は非球面形状で、その非球面量が正であることを特徴とする請求項１に記載のズームレンズ。
【請求項３】
前記第２非球面レンズの物体側のレンズ面が球面形状の場合は曲率半径、非球面形状の場合は参照球面の半径をＲ２１とするとき、
０．００＜ＢＬＤ１／Ｒ２１＜１．００
なる条件式を満たすことを特徴とする請求項１又は２に記載のズームレンズ。
【請求項４】
前記第１レンズ群は、物体側より像側へ順に、物体側の面が凸でメニスカス形状の負レンズ、物体側の面が凸でメニスカス形状の負レンズ、物体側の面が凹形状の負レンズ、両凸形状の正レンズより成ることを特徴とする請求項１乃至３のいずれか１項に記載のズームレンズ。
【請求項５】
前記第１レンズ群の焦点距離をｆ１、広角端における全系の焦点距離をｆｗとするとき、
１．００＜−ｆ１／ｆｗ＜２．５０
なる条件式を満たすことを特徴とする請求項１乃至４のいずれか１項に記載のズームレンズ。
【請求項６】
前記第１非球面レンズの像側のレンズ面の非球面量をＡr1r、
前記第１非球面レンズの像側のレンズ面の光線有効径をＥa1r、
前記第１非球面レンズの材料の屈折率をＮｄ1、
前記第２非球面レンズの物体側のレンズ面の非球面量をＡr2f、
前記第２非球面レンズの物体側のレンズ面の光線有効径をＥa2f、
前記第２非球面レンズの材料の屈折率をＮｄ2
とするとき、
０．０１０＜｜（Ａr1r／Ｅa1r）×Ｎｄ1｜＜０．１００
０．０１０＜｜（Ａr2f／Ｅa2f）×Ｎｄ2｜＜０．１００
なる条件式を満足することを特徴とする請求項１乃至５のいずれか１項に記載のズームレンズ。
【請求項７】
前記第１非球面レンズの物体側のレンズ面は非球面形状であり、
前記第１非球面レンズの物体側のレンズ面の非球面量をＡr1f、
前記第１非球面レンズの物体側のレンズ面の光線有効径をＥa1f、
前記第１非球面レンズの材料の屈折率をＮｄ1、
とするとき、
０．００５＜｜（Ａr1f／Ｅa1f）×Ｎｄ1｜＜０．０８０
なる条件式を満足することを特徴とする請求項１乃至６のいずれか１項に記載のズームレンズ。
【請求項８】
前記後群は、物体側から像側へ順に、正の屈折力の第２レンズ群、正の屈折力の第３レンズ群、負の第４レンズ群、正の第５レンズ群よりなることを特徴とする請求項１乃至７のいずれか１項に記載のズームレンズ。
【請求項９】
広角端から望遠端へのズーミングに際して、前記第１レンズ群は像側へ移動し、前記第２レンズ群、前記第３レンズ群、前記第５レンズ群は物体側へ移動し、前記第４レンズ群は像側へ凸状の軌跡で移動することを特徴とする請求項８に記載のズームレンズ。
【請求項１０】
前記後群は、物体側から像側へ順に、正の屈折力の第２レンズ群、負の屈折力の第３レンズ群、正の第４レンズ群よりなることを特徴とする請求項１乃至７のいずれか１項に記載のズームレンズ。
【請求項１１】
広角端から望遠端へのズーミングに際して、前記第１レンズ群は像側へ移動し、前記第２レンズ群、前記第３レンズ群、前記第４レンズ群は物体側へ移動することを特徴とする請求項１０に記載のズームレンズ。
【請求項１２】
請求項１乃至１１のいずれか１項に記載のズームレンズを有することを特徴とする撮像装置。
【発明の詳細な説明】
【技術分野】
【０００１】
本発明は、ズームレンズに関し、例えばデジタルスチルカメラ、ビデオカメラ、ＴＶカメラ、監視用カメラ等の撮像装置の撮像光学系として好適なものである。
【背景技術】
【０００２】
近年、撮像装置は、高機能化されるとともに装置全体が小型化されている。そしてそれに伴って、これらに用いる撮像光学系としては、レンズ全長が短く、全系がコンパクトで、広画角で、しかも高い光学性能（高解像力）を有するズームレンズであることが要求されている。
【０００３】
特に広画角のズームレンズのときには歪曲収差が少ないことが強く要求されている。この他、水面等からの反射光を抑えるための偏光フィルター、室外の明るい環境下で被写界深度が浅い開放撮影をしたい時に露出を抑えるためのＮＤフィルター、各種フィルター等の汎用フィルターをレンズ最前面への取り付けが容易なことが要求されている。
【０００４】
従来、全系が小型で広画角のズームレンズとして、負の屈折力のレンズ群が先行する（最も物体側に位置する）ネガティブリード型のズームレンズが知られている。このうち、撮影全画角１００度以上の広画角のズームレンズが知られている（特許文献１乃至３）。また単一焦点距離の広画角の撮像光学系が知られている（特許文献４）。広画角のネガティブリード型のズームレンズでは多くの場合、負の屈折力の第１レンズ群と、それよりも像側に全体として正の屈折力の１つ以上のレンズ群を含む後群から成っている。
【０００５】
特許文献１では、負の屈折力の第１レンズ群、正の屈折力の第２レンズ群、正の屈折力の第３レンズ群、負の屈折力の第４レンズ群より成る、広角端での撮影全画角１２０度で、ズーム比２程度のズームレンズを開示している。
【０００６】
特許文献２では、負の屈折力の第１レンズ群、正の屈折力の第２レンズ群、負の屈折力の第３レンズ群、正の屈折力の第４レンズ群より成る、広角端での撮影全画角１０６度で、ズーム比２．１程度のズームレンズを開示している。また特許文献２は汎用フィルターの使用が可能なズームレンズを開示している。特許文献３では、負の屈折力の前群、正の屈折力の後群より成る、広角端での撮影全画角１０８度で、ズーム比２．２程度のズームレンズを開示している。特許文献４では、撮影全画角１２７度程度の単一焦点距離の撮像光学系を開示している。
【先行技術文献】
【特許文献】
【０００７】
【特許文献１】特開２００５−１０６８７８号公報
【特許文献２】特開２００８−０４６２０８号公報
【特許文献３】特開２００５−１５７０９７号公報
【特許文献４】特開２０１１−１０２８７１号公報
【発明の概要】
【発明が解決しようとする課題】
【０００８】
ネガティブリード型のズームレンズにおいて広画角化及び全系の小型化及そして高解像力化を図るには、例えば第１レンズ群の負の屈折力を強く（負の屈折力の絶対値を大きく）する必要がある。そうすると、諸収差、特に樽型の歪曲が大きく発生してくる。そのため、通常、多くのズームレンズでは負の屈折力の第１レンズ群に大口径の非球面レンズを使用し、歪曲の補正と全系の小型化、そして広画角化を図っている。
【０００９】
特許文献１のズームレンズでは、負の屈折力の第１レンズ群に２つの非球面レンズを使用することで、全系の小型化を図りつつ広画角において歪曲を良好に補正している。しかし非点収差やコマ収差の補正が必ずしも十分でない。また、最も物体側のレンズ面の曲率半径が小さいため、最も物体側のレンズ面頂点位置での軸外光線の入射高が大きくなり、汎用フィルターを取り付けることが容易でない。
【００１０】
特許文献２のズームレンズでは、負の屈折力の第１レンズ群に２つの非球面レンズを使用することで、広画角化を図りつつ高い光学性能を得ている。特許文献２では、最も物体側の曲率半径が大きいため、最も物体側のレンズ面頂点位置での軸外光線の入射高が抑えられ、汎用フィルターの装着が容易である。特許文献２では歪曲が多少残存する傾向がある。
【００１１】
特許文献３のズームレンズでは、負の屈折力の第１レンズ群に２つの非球面レンズを使用することで、広画角化を図りつつ高い光学性能を得ている。特許文献３は非球面レンズの面の傾斜角（光軸に垂直な面に対するレンズ面の角度）が大きい。この為非球面レンズの製作が難しくなる傾向があった。
【００１２】
特許文献４の撮像光学系では、負の屈折力の第２レンズ群に、レンズ面の周辺部での傾斜角が極めて大きい非球面レンズを使用することで、広画角でありながら、ある程度の低歪曲を達成している。しかしながらレンズ面の周辺部での傾斜角が大きいため非球面レンズの製作が難しくなる傾向があった。
【００１３】
全系の小型化を図りつつ、広画角化を図ったときの諸収差、例えば歪曲収差を軽減し、良好なる光学性能を得るにはズームレンズを構成する各レンズ群のレンズ構成、各レンズ群の屈折力、ズームタイプ等を適切に設定することが重要になってくる。例えば非球面レンズを用いて、歪曲収差の発生を少なくするには、光学系中の非球面の位置や、非球面を適用するレンズ面形状や非球面量等を適切に設定することが重要である。また、非球面レンズを用いて収差補正を行う際には、非球面レンズの加工の安定性を考慮する必要がある。
【００１４】
非球面レンズの最も一般的な加工方法としては、高温で軟化させた硝材を、物体側と像側のレンズ面それぞれの形状の型で挟み込み、型形状を転写する、硝子モールド方式がある。この場合、光軸方向に双方の型で挟み込むため、各レンズ面の傾斜角が大きくなるほど、周辺でのプレス圧が落ちて転写精度が落ちたり、離型方向がレンズ面に垂直方向ではなく水平に近くなるため、離型時に食い付いて変形させたりすることがある。
【００１５】
このため非球面レンズは、加工の安定性も考慮して最適な形状に設定することが重要である。これらの構成が不適切であると、全系の小型化及び広画角化を図りつつ、加工まで考慮した上での高い光学性能のズームレンズを得るのが大変困難になる。
【００１６】
本発明は、加工の安定性の良い非球面レンズを用いることによって全系が小型で広画角でしかも高い光学性能が容易に得られるズームレンズ及びそれを有する撮像装置の提供を目的とする。
【課題を解決するための手段】
【００１７】
本発明のズームレンズは、物体側から像側へ順に、負の屈折力の第１レンズ群と１つ以上のレンズ群を有する後群から構成され、ズーミングに際して隣り合うレンズ群の間隔が変化するズームレンズにおいて、
広角端から望遠端へのズーミングに際して前記第１レンズ群と前記後群の間隔は狭くなり、
前記後群は正の屈折力を有し、前記第１レンズ群は物体側より像側へ順に、像側のレンズ面が非球面形状で、該非球面量が正である第１非球面レンズと、物体側のレンズ面が非球面形状で、該非球面量が負である第２非球面レンズを有し、
前記第１非球面レンズの物体側のレンズ面が球面形状の場合は曲率半径、非球面形状の場合は参照球面の半径をＲ１１、前記第１レンズ群のブロック長をＢＬＤ１とするとき、
０．１０＜ＢＬＤ１／Ｒ１１＜１．００
なる条件式を満たすことを特徴としている。
【発明の効果】
【００１８】
本発明によれば、加工の安定性の良い非球面レンズを用いることによって全系が小型で広画角でしかも高い光学性能が容易に得られるズームレンズが得られる。
【図面の簡単な説明】
【００１９】
【図１】本発明における実施例１のズームレンズのレンズ断面図
【図２】（Ａ），（Ｂ）  本発明における実施例１のズームレンズの物体距離無限遠時における広角端と望遠端における収差図
【図３】本発明における実施例２のズームレンズのレンズ断面図
【図４】（Ａ），（Ｂ）  本発明における実施例２のズームレンズの物体距離無限遠時における広角端と望遠端における収差図
【図５】本発明における実施例３のズームレンズのレンズ断面図
【図６】（Ａ），（Ｂ）  本発明における実施例３のズームレンズの物体距離無限遠時における広角端と望遠端における収差図
【図７】本発明における実施例４のズームレンズのレンズ断面図
【図８】（Ａ），（Ｂ）  本発明における実施例４のズームレンズの物体距離無限遠時における広角端と望遠端における収差図
【図９】本発明における非球面量の定義の説明図
【図１０】本発明の撮像装置の要部概略図
【発明を実施するための形態】
【００２０】
以下に本発明の好ましい実施形態を添付の図面に基づいて詳細に説明する。本発明のズームレンズは、物体側から像側へ順に、負の屈折力の第１レンズ群と１つ以上のレンズ群を有する後群から構成され、ズーミングに際して隣り合うレンズ群の間隔が変化する。
広角端から望遠端へのズーミングに際して第１レンズ群と後群の間隔は狭くなる。後群は正の屈折力を有している。第１レンズ群は物体側より像側へ順に、像側のレンズ面が非球面形状で、該非球面量が正である第１非球面レンズと、物体側のレンズ面が非球面形状で、該非球面量が負である第２非球面レンズを有している。
【００２１】
図１は本発明の実施例１のズームレンズの広角端（短焦点距離端）におけるレンズ断面図である。図２（Ａ）、（Ｂ）はそれぞれ実施例１のズームレンズの広角端、望遠端（長焦点距離端）における収差図である。実施例１はズーム比２．０６、開口比２．９０のズームレンズである。図３は本発明の実施例２のズームレンズの広角端におけるレンズ断面図である。図４（Ａ）、（Ｂ）はそれぞれ実施例２のズームレンズの広角端、望遠端における収差図である。実施例２はズーム比２．０６、開口比４．１０のズームレンズである。
【００２２】
図５は本発明の実施例３のズームレンズの広角端におけるレンズ断面図である。
図６（Ａ）、（Ｂ）はそれぞれ実施例３のズームレンズの広角端、望遠端における収差図である。実施例３はズーム比２．０６、開口比２．８９〜２．９０のズームレンズである。図７は本発明の実施例４のズームレンズの広角端におけるレンズ断面図である。図８（Ａ）、（Ｂ）はそれぞれ実施例４のズームレンズの広角端、望遠端における収差図である。実施例４はズーム比２．３６、開口比４．１２のズームレンズである。
【００２３】
図９は本発明に係る非球面レンズの非球面量の説明図である。図１０は本発明のズームレンズを備えるデジタルスチルカメラ（撮像装置）の要部概略図である。レンズ断面図において、左方が物体側（前方）で、右方が像側（後方）である。レンズ断面図において、ｉは物体側から像側への各レンズ群の順序を示し、Ｌｉは第ｉレンズ群である。Ｌ１は負の屈折力の第１レンズ群である。Ｇ１は第１非球面レンズ、Ｇ２は第２非球面レンズである。
【００２４】
ＬＲは１以上のレンズ群を含み、正の屈折力の後群である。ＳＰは、ズームレンズの使用時に所望のＦナンバーに絞るための、開口絞りである。ＶＳＰは、ズーミングに応じて開口径が変化する可変絞りで、各ズーム位置での開放Ｆナンバー（Ｆｎｏ）光束を決定する部材である。
【００２５】
ＩＰは像面であり、ビデオカメラやデジタルスチルカメラの撮像光学系として使用する際にはＣＣＤセンサやＣＭＯＳセンサ等の固体撮像素子（光電変換素子）の撮像面が置かれる。又、銀塩フィルム用カメラの撮像光学系として使用する際にはフィルム面に相当する感光面が置かれている。球面収差図において、実線はｄ線（波長５８７．６ｎｍ）、二点鎖線はｇ線（波長４３５．８ｎｍ）である。
【００２６】
非点収差図において点線はｄ線のメリディオナル像面、実線はｄ線のサジタル像面を表している。また、倍率色収差は、ｄ線を基準とした際のｇ線の差分を表している。
ＦｎｏはＦナンバーである。ωは撮影半画角（度）である。尚、以下の各実施例において広角端と望遠端は変倍用レンズ群が機構上、光軸上移動可能な両端に位置したときのズーム位置をいう。
【００２７】
レンズ断面図において、矢印は広角端から望遠端へのズーミングに際しての各レンズ群の移動軌跡を示している。Focusに関する矢印は無限遠から近距離へのフォーカシングに際しての移動方向を示している。
【００２８】
図１，図５，図７の実施例１，３，４のズームレンズは、物体側より像側へ順に、負の屈折力（光学的パワー＝焦点距離の逆数）の第１レンズ群Ｌ１、全ズーム範囲にわたり全体として正の屈折力の後群ＬＲより成る。
【００２９】
実施例１、３、４において後群ＬＲは、物体側から像側へ順に、正の屈折力の第２レンズ群Ｌ２、正の屈折力の第３レンズ群Ｌ３、負の屈折力の第４レンズ群Ｌ４、正の屈折力の第５レンズ群Ｌ５よりなっている。実施例１、３、４のズームレンズでは、広角端から望遠端のズーム位置へのズーミングに際して、第１レンズ群Ｌ１が像側に単調に移動している。第２レンズ群Ｌ２、第３レンズ群Ｌ３、第５レンズ群Ｌ５は、物体側に移動している。第４レンズ群は、像側に凸状の軌跡を描きつつ、望遠端では広角端よりも物体側に位置するように移動している。
【００３０】
このとき広角端から望遠端へのズーミングに際して第１レンズ群Ｌ１と第２レンズ群Ｌ２との間隔が小さく、第２レンズ群Ｌ２と第３レンズ群Ｌ３との間隔が小さく、第３レンズ群Ｌ３と第４レンズ群Ｌ４との間隔が大きくなるように各レンズ群が移動している。また第４レンズ群Ｌ４と第５レンズ群Ｌ５との間隔が小さくなるように各レンズ群が移動している。
【００３１】
矢印Focusで示すように第２レンズ群Ｌ２を像側に移動させて無限遠から近距離へのフォーカシングを行っている。開放Ｆナンバーは、ズーミングに連動して開口径が可変である可変絞りＶＳＰで決定している。可変絞りＶＳＰは、第４レンズ群Ｌ４に含まれており、ズーミングに際して第４レンズ群Ｌ４と一体的に（同じ軌跡）で移動する。所定のＦナンバーに絞るためのＦナンバー決定部材ＳＰは、第４レンズ群Ｌ４の物体側に位置し、ズーミングに際して第４レンズ群Ｌ４と一体的に移動する。
【００３２】
図３の実施例２のズームレンズは、物体側より像側へ順に、負の屈折力の第１レンズ群Ｌ１、全ズーム範囲にわたり全体として正の屈折力の後群ＬＲより成る。実施例２において、後群ＬＲは、物体側から像側へ順に、正の屈折力の第２レンズ群Ｌ２、負の屈折力の第３レンズ群Ｌ３、正の屈折力の第４レンズ群Ｌ４より成っている。実施例２のズームレンズでは、広角端から望遠端のズーム位置へのズーミングに際して、第１レンズ群Ｌ１が像側に単調に移動している。
【００３３】
第３レンズ群Ｌ３、第４レンズ群Ｌ４は、物体側に単調に移動している。第２レンズ群Ｌ２は像側へ凸状の軌跡で物体側に単調に移動している。このとき広角端から望遠端へのズーミングに際して第１レンズ群Ｌ１と第２レンズ群Ｌ２との間隔が小さく、第２レンズ群Ｌ２と第３レンズ群Ｌ３との間隔が大きくなるように各レンズ群が移動している。また第３レンズ群Ｌ３と第４レンズ群Ｌ４との間隔が小さくなるように各レンズ群が移動している。
【００３４】
実施例２では第２レンズ群Ｌ２を２つの正の屈折力の部分群Ｌ２ａ，Ｌ２ｂに分けた、物体側の部分群Ｌ２ａを矢印Focusで示すように像側に移動させて無限遠から近距離へのフォーカシングを行っている。
【００３５】
開放Ｆナンバーは、ズーミングに連動して開口径が可変である可変絞りＶＳＰで決定している。可変絞りＶＳＰは、第３レンズ群Ｌ３に含まれており、ズーミングに際して第３レンズ群Ｌ３と一体的に移動する。所定のＦナンバーに絞るためのＦナンバー決定部材ＳＰは、第３レンズ群Ｌ３の物体側に位置し、ズーミングに際して第３レンズ群Ｌ３と一体的に移動する。
【００３６】
次に本発明に係るレンズ面に形成される非球面量の定義を図９を用いて説明する。非球面量Ａｒとは、図９に示すように、非球面Ｒａの参照球面Ｒｒｅｆからの乖離量の最大値を表している。参照球面Ｒｒｅｆの半径（曲率半径）は、面頂点Ｒ０と参照球面Ｒｒｅｆの光線有効径Ｄｒより決定される球面の半径である。非球面Ｒａの参照球面Ｒｒｅｆからの乖離方向が、参照球面Ｒｒｅｆに対して媒質を盛る方向を正の非球面量、媒質を削る方向を負の非球面量と定義する。例えば、図９に示す非球面Ｒａは、正の非球面量を有する。
【００３７】
次に、公知の文献のレンズデータや、レンズの実物から非球面量の正負の値を判別する方法、また、具体的に非球面量を算出する方法を示す。非球面量の正負の値の判別、また非球面量の算出には、まず参照球面の半径（曲率半径）を求める必要があり、その参照球面の半径を得るためには、光線有効径を得る必要がある。多くの公知の文献のレンズデータには、有効径が記載されていない場合がある。その場合、最も簡単に光線有効径を得る方法は、レンズ断面図の描画上のレンズ全長の実寸と、数値データで示される既知のレンズ全長から描画倍率を求め、描画の曲面部径の実寸に描画倍率を掛けることで得られる。
【００３８】
レンズ描画の曲面部の径は、光学ツールによっては実際の光線有効径に対し、やや大きく設定されるが、非球面量の正負の値の判別や、大まかな非球面量を知るには、この方法で十分である。
【００３９】
次に、より高精度に光線有効径を得るためには、負の屈折力の第１レンズ群で、マージナルコンタクトを行っている部分や、両凸形状のレンズから算出する方法がある。広画角の撮影レンズの負の屈折力の第１レンズ群は、複数連なる負レンズのレンズ間隔を狭める程、全系の小型化と像面湾曲の補正が容易である。
【００４０】
このため、殆どの広画角の撮影レンズでは、負レンズ同志のレンズ周辺部を接触させる、所謂マージナルコンタクトを行うレンズペアが含まれている。また、両凸形状のレンズのレンズ周辺においても、通常、レンズ周辺厚を加工可能な限り薄くすることで、全系の小型化と像面湾曲の補正が容易となる。このことから、第１レンズ群の全てのレンズ面で、レンズ面同志が交差するポイントを仮の有効径とした上で、光線追跡を行う。その結果、前記仮の有効径のうち、いずれか１点で最周辺光束が決定され、その光線の各レンズ面での高さが光線有効径となる。
【００４１】
次に、レンズの実物から光線有効径を算出する方法について説明する。最も簡単に光線有効径を得る方法は、各レンズの研磨面部の径を測る方法である。多くのレンズでは、本体重量を軽量化するため、有効径に対し、研磨面の最外周の径までの余裕量を極力小さくする。そのため、研磨面の径自体を測定すれば、ある程度正確な光線有効径が得られ、非球面量の正、負の値の判別や、大まかな非球面量を知ることが十分可能である。
【００４２】
次に、より正確に光線有効径を知る方法は、負の屈折力の第１レンズ群中に、殆どの場合で存在する遮光部材の内径を測る方法である。通常、研磨面と粗擦り面との境界のエッジ部に強い光が当たると、そのエッジ部で光が乱反射し、ゴースト光が発生してしまう。そのため、研磨面と粗擦り面との境界に不要光が当たらないよう、遮光部材を光線有効径に合わせて配置し、不要光をカットする方法が広く用いられている。その遮光部材を仮の有効径とした上で、光線追跡を行う。
【００４３】
その結果、前記仮の有効径のうち、いずれか１点で最周辺光束が決定され、その光線の各レンズ面での高さが光線有効径となる。また、別側面から正確な光線有効径を得る方法を説明する。それは、レンズ系を撮像装置や投影装置との組み合わせで使用し、レンズ系の最前面において、遮光部材を少しずつレンズ外周部から中心に向かって挿入して行く方法である。撮影画像や投影像に陰りが出始める寸前の遮光部材の位置が、レンズ系の最前面での光線有効径となる。そこから光線追跡を行うことで、第１レンズ群の最前面以外の光線有効径も知ることが出来る。
【００４４】
次に、本発明のズームレンズにおいて歪曲収差が小さい低歪曲かつ高性能な広画角のズームレンズを得るに至った経緯について説明する。特許文献１では、物体側から像側へ順に負、正、正、負の屈折力の第１レンズ群乃至第４レンズ群よりなる４群構成の広画角のズームレンズを開示している。負の屈折力の第１レンズ群に、２枚の非球面レンズを配置することで、全系が小型で広画角でありながら、歪曲を小さくしているが、非点収差やコマ収差が増大する傾向がある。
【００４５】
通常、広画角レンズは、全系の小型化かつ広画角化を図るには、負の屈折力の第１レンズ群の屈折力を強く（負の屈折力の絶対値を大きく）する必要があり、この結果、樽型の歪曲が大きく発生してくる。そのため多くの場合、軸外主光線の入射高が大きくなる第1レンズ群に、正の非球面量を持つ非球面レンズを配置し、樽型の歪曲を補正しつつ広画角化を図っている。
【００４６】
特許文献１でも、負の屈折力の第1レンズ群に２枚の正の非球面量を持つ非球面レンズを配置し、歪曲を効果的に補正している。ところがこの時、正の非球面量の効果により、画面周辺の非点収差が増加してしまい、周辺性能が低下する傾向があった。また、最も物体側の面が強い曲率の凸面となった場合、レンズ面最外周に軸外最周辺光束が半画角50度を越える角度で物体側から入射するため、面頂点に光軸と垂直な面を置いたとき、その面における光線有効径が著しく大きくなる。これにより、汎用フィルターの取り付けが困難になり、かつ全系の大型化を招く。
【００４７】
特許文献２では、物体側から像側へ順に、負、正、負、正の屈折力の第１レンズ群乃至第４レンズ群よりなる４群構成の広画角のズームレンズを開示している。負の屈折力の第１レンズ群に、非球面レンズを２枚使用することで、全系が小型でかつ広画角でありながら高い光学性能を得ている。特許文献２では、最も物体側の第１レンズをメニスカス形状の負レンズとすることで、歪曲を低減している。
【００４８】
この第１レンズのレンズ形状は、軸外主光線の入射高の低い像側の凹面で負の屈折力を得て、軸外主光線の入射高が高い物体側の凸面で歪曲を補正し、これにより歪曲の補正を良好に行うとともに広画角化を図っている。
【００４９】
特許文献３では、全体として負の屈折力の前群と、全体として正の屈折力の後群より成る、広画角のズームレンズを開示している。負の屈折力の前群に、非球面レンズを２枚使用することで、広画角でありながら高い光学性能を達成している。しかしながら、物体側から２番目の第２非球面レンズの像側のレンズ面の傾斜角が大き過ぎ、加工が難しくなる傾向があった。特許文献３では軸外主光線高の入射高が大きい位置に正の非球面量の非球面を配置して歪曲を補正し、それよりも軸外主光線の入射高が小さい位置に負の非球面量の非球面を配置して非点収差を良好に補正している。
【００５０】
特許文献４では単一焦点距離の広画角レンズにおいて、物体側から数えた第２レンズにレンズ周辺部での傾斜角が極めて大きい非球面を使用し、強力な正の非球面量を得て広画角化と低歪曲化を歪曲収差を補正している。このとき用いる非球面は傾斜角が大き過ぎ、加工が難しくなる傾向があった。更に、仮にこのような広画角レンズ系でズーミングを図った場合、第１レンズ群を通る軸外主光線の入射高が変化した際に、各光線位置での非球面量が大きく変化し、それにより歪曲と非点収差が増大してくる。このため、広画角のズームレンズへの応用が困難である。
【００５１】
そこで本発明者は、レンズの外径を小さくしつつ、第１レンズの物体側のレンズ面の傾斜角が小さくなるようなレンズ構成を考案した。但しこの時、第１レンズの物体側のレンズ面での屈折力が大きくなるため、歪曲の発生が大きくなってくる。それを補正するためには、軸外主光線の入射高が高い位置に正の非球面量の非球面を配置してくる。
【００５２】
超広画角のズームレンズの第１レンズは、物体側が緩い曲率の凸面、像側が強い曲率の凹面であることが、広画角化と歪曲を低減するのに有利である。これは軸外主光線の入射高が低い像側で発散性の屈折力を得つつ、軸外主光線の入射高が高い物体側で歪曲の補正を効率に行えるためである。正の屈折力の非球面量を持つ非球面を第１レンズの像側の強い曲率の凹面に付加することで、周辺部の傾斜角が周辺に向かうにつれて抑えられ、加工し易くなる上に、歪曲の補正を効果的に行えることを見出した。
【００５３】
次に、正の非球面量の非球面で発生する非点収差を、軸外収差の補正効果を逸しない程度に軸外主光線の入射高が下がった位置に、負の非球面量を持つ非球面レンズを配置することで補正している。その際、特許文献３のズームレンズでは、強い凹面側に、負の非球面量の非球面を配置してしまったため、傾斜角が著しく大きくなっていた。
【００５４】
そこで、本発明では、負の非球面量の非球面を、第２レンズの物体側に配置することで、面の傾斜角を大きくすることなく、非点収差を良好に補正できることを見出した。また、広角端から望遠端におけるズーミングにおいて、画角が小さくなるため、第１レンズでの樽型の歪曲が弱まる。それと同時に、第１レンズ群内での軸外主光線の入射高が低くなるため、正の非球面量の非球面での歪曲の補正効果も小さくなり、かつそれによる非点収差の発生も小さくなる。更に、負の非球面量の非球面での軸外主光線の入射高も小さくなり、非点収差の補正効果も小さくなっていく。
【００５５】
本発明者は、このような関係を採用すると、歪曲と非点収差を全ズーム域でバランスよく補正できることを見出した。具体的に、本発明のズームレンズは、負の屈折力の第１レンズ群と、１つ以上のレンズ群を含む全体として正の屈折力の後群ＬＲより構成されている。そしてズーミングに際し、第１レンズ群と後群ＬＲの間隔が狭まる、所謂ネガティブリード型のズームレンズである。
【００５６】
ポジティブリード型は、高ズーム比化には有利であるが、最も物体側のレンズ群が正の屈折力であり、軸外光束を収束させてしまう。このため、広角端における撮影画角が１００度を超える広画角のズームレンズには適していない。また、本発明のズームレンズにおいて、第１レンズ群Ｌ１は、最も物体側より像側へ順に、負のパワーの第１非球面レンズと負のパワーの第２非球面レンズを有している。そして第１非球面レンズの像側の面が非球面形状で、その非球面量が正であり、第２非球面レンズの物体側の面が非球面形状で、その非球面量が負である。
【００５７】
また、第１非球面レンズＧ１の物体側のレンズ面が球面形状の場合は曲率半径、非球面形状の場合は参照球面の半径をＲ１１とする。第１レンズ群Ｌ１のブロック長（第１レンズ面から第１レンズ群Ｌ１の最終レンズ面までの長さ）をＢＬＤ１とする。このとき、
０．１０＜ＢＬＤ１／Ｒ１１＜１．００  ・・・(１)
なる条件式を満たしている。
【００５８】
条件式（１）は、最も物体側の第１非球面レンズＧ１の面頂点位置においた光軸と垂直な面における光線有効径を極力小さくし、例えば汎用フィルターの取り付けを容易にしたり、外径を小さくしたりするためのものである。条件式（１）の下限を逸脱すると、第１非球面レンズＧ１の物体側のレンズ面での曲率が弱過ぎて、発散性の屈折力が強くなり、樽型の歪曲が大きく発生してくる。この結果、歪曲の補正が困難になる。
【００５９】
条件式（１）の上限を逸脱すると、第１非球面レンズＧ１の物体側のレンズ面の曲率が強過ぎて、面頂点位置に置いた光軸と垂直な面における光線有効径が大きくなり、例えば汎用フィルターを取り付けるのが困難となり、また外径が増大してくる。条件式(１)により、最も物体側のレンズ面の曲率をある程度緩くすることで、全系の小型化が図れる反面、歪曲の発生量が大きくなる。それを補正するために、軸外主光線の入射高が高い第１非球面レンズＧ１の、少なくとも像側のレンズ面を、正の非球面量の非球面形状としている。
【００６０】
それにより、前述した通り歪曲を効果的に補正できるだけでなく、像側のレンズ面の傾斜角を緩める方向の非球面形状になるため、レンズ加工性も容易となる。
【００６１】
次に、第１非球面レンズＧ１の正の非球面量を有する非球面により、発生する非点収差を補正するために、第１非球面レンズＧ１の非球面よりも軸外主光線の入射高が低い第２非球面レンズＧ２の物体側のレンズ面を負の非球面量を有する非球面形状としている。そうすることで、非点収差を良好に補正した上で、傾斜角が小さく、加工性の良い非球面形状となるようにしている。条件式（１）は、より好ましくは、数値範囲を次の如く設定するのが良い。
【００６２】
０．２０＜ＢＬＤ１／Ｒ１１＜０．６０  ・・・(１ａ)
以上により、撮影全画角が100度を越え、ズーム比が２倍程度で広画角のズームレンズを得ている。更に全系が小型で高い光学性能を有したズームレンズを得ている。尚、正の非球面量を持つ非球面と、負の非球面量を持つ非球面は、その非球面量をある程度大きくすると、前述した効果が容易に得られる。
【００６３】
ここで各実施例において、第１非球面レンズＧ１の像側のレンズ面の非球面量をＡr1r、光線有効径をＥa1r、第１非球面レンズＧ１の材料の屈折率をＮｄ1とする。また第２非球面レンズＧ２の物体側のレンズ面の非球面量をＡr2f、光線有効径をＥa2f、第２非球面レンズＧ２の材料の屈折率をＮｄ2
とするとき、
０．０１０＜｜（Ａr1r／Ｅa1r）×Ｎｄ1｜＜０．１００  ・・・（ｘａ１）
０．０１０＜｜（Ａr2f／Ｅa2f）×Ｎｄ2｜＜０．１００  ・・・（ｘａ２）
なる条件式を満足するのが好ましい。
【００６４】
条件式（ｘａ１），（ｘａ２）の下限値を逸脱する非球面量を有する非球面は、非球面の成形プロセスの作業に対し、得られる非球面効果が小さいため、好ましくない。条件式（ｘａ１），（ｘａ２）の上限値を逸脱する非球面量を有する非球面は、非球面傾斜角の変化率が大き過ぎて非球面の成形が困難になるため、好ましくない。条件式（ｘａ１），（ｘａ２）より好ましい条件としては、次の数値範囲を満たすのが良い。
【００６５】
０．０２０＜｜（Ａr1r／Ｅa1r）×Ｎｄ1｜＜０．０６０  ・・・（ｘａａ１）
０．０２０＜｜（Ａr2f／Ｅa2f）×Ｎｄ2｜＜０．０６０  ・・・（ｘａａ２）
次に、本発明のズームレンズにおいて、より好ましい効果を得ることができる構成について説明する。第１非球面レンズＧ１は、物体側のレンズ面も正の非球面量を持つ非球面形状であると良い。それにより、軸外主光線の入射高が高い位置で、歪曲の補正を効果的に行うことができる。この時、物体側のレンズ面Ｒ１１は正の屈折力の凸形状である。
【００６６】
通常は、凸面に正の非球面量を与えると、面の傾斜角を大きくする方向になるが、条件式(１)を満たすことで、十分に緩い正の曲率となっている。このため、正の非球面量を与えても面の傾斜角が著しく大きくなることはなく、前述したような成形上の問題も発生し得ない。
【００６７】
裏を返すと、第１非球面のレンズの物体側のレンズ面には、強い非球面量を与えにくいとも言える。そのため、各実施例に於ける第１非球面レンズＧ１の物体側の非球面は、下記の条件式（ｘｂ）を満たすのが良い。第１非球面レンズＧ１の物体側のレンズ面の非球面量をＡr1f、光線有効径をＥa1fとするとき、
０．００５＜｜（Ａr1f／Ｅa1f）×Ｎｄ1｜＜０.０８０  ・・・（ｘｂ１）
【００６８】
第１非球面レンズＧ１の物体側のレンズ面の非球面量は第１非球面レンズＧ１の像側のレンズ面や、第２非球面レンズＧ２の物体側のレンズ面よりも、非球面量を付けにくい形状ではある。しかしながら、軸外主光線の入射高がそれらよりも高いため、条件式（ｘｂ１）の範囲で、十分な非球面効果を得ることが出来る。条件式（ｘｂ１）の、より好ましい条件としては、次の数値範囲を満たすのが良い。
０．０１０＜｜（Ａr1f／Ｅa1f）×Ｎｄ1｜＜０.０５０  ・・・（ｘｂｂ１）
【００６９】
次に、本発明において更に好ましくは次の条件式の間うち１つ以上を満足するのが良い。第２非球面レンズＧ２の物体側のレンズ面が球面形状の場合は曲率半径、非球面形状の場合は参照球面の半径をＲ２１とする。第１レンズ群Ｌ１の焦点距離をｆ１、広角端における全系の焦点距離をｆｗとする。
０．００＜ＢＬＤ１／Ｒ２１＜１．００  ・・・（２）
１．００＜−ｆ１／ｆｗ＜２．５０      ・・・（３）
【００７０】
次に前述の各条件式の技術的意味について説明する。条件式(２)は、第２非球面レンズＧ２を物体側の面が凸でメニスカス形状にするためのものである。それにより、軸外主光線の入射高が低い像側で発散性のパワーを得つつ、軸外主光線の入射高が高い物体側で歪曲収差の補正を効率に行えるレンズ形状となる。また、物体側のレンズ面に、負の非球面量を与える際、面の傾斜角をより小さくする方向になるため、加工が容易になる。より好ましくは、条件式（２）の数値範囲を次の如く設定するのが良い。
０．１０＜ＢＬＤ１／Ｒ２１＜０．８０  ・・・(２ａ)
【００７１】
条件式（３）は、第１レンズ群Ｌ１の負の屈折力を適切にすることで、全系の小型化を図りつつ歪曲収差を良好に補正するためのものである。条件式（３）の上限値を逸脱して１レンズ群Ｌ１の負の屈折力が弱く（負の屈折力の絶対値が大きく）なり過ぎると、全系が大型化してしまう。条件式（３）の下限値を逸脱して、第１レンズ群Ｌ１の負の屈折力が強く（負の屈折力の絶対値が大きく）なり過ぎると、樽型の歪曲が大きくなってしまう。更に好ましくは条件式（３）の数値範囲を次の如く設定するのが良い。
１．２０＜−ｆ１／ｆｗ＜２．００    ・・・（３ａ）
【００７２】
次に、第１レンズ群Ｌ１は、物体側より像側へ順に、物体側の面が凸でメニスカス形状の負の第１レンズ、物体側の面が凸でメニスカス形状の負の第２レンズ、物体側の面が凹形状の負の第３レンズ、両凸形状の正の第４レンズより構成することが好ましい。第１１レンズと第１２レンズは、前述した通り、メニスカス形状であると、歪曲収差の補正が容易になる。
【００７３】
第１３レンズは、軸外主光線の入射高が小さくなり、歪曲が発生しにくいため、強い負の屈折力として発散性の屈折力を得ている。第１４レンズを両凸形状の正レンズとすることで、負の屈折力の第１レンズ群Ｌ１内の収差補償を良好に行うと共に、負の値の主点位置を像側に移動させ、レンズ全長を短くしている。
【００７４】
本発明は、上述のようなズームレンズを有する撮像装置（この他、画像投影装置やその他の光学機器）に、種々適用可能である。以下、各実施例のレンズ構成について説明する。実施例１は、物体側から像側へ順に、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５より構成されている。実施例１は広角端の撮影全画角が１０５度、変倍比２．１の５群ズームレンズである。
【００７５】
第１レンズ群Ｌ１は物体側より像側へ順に、物体側の面が凸でメニスカス形状の負の第１レンズ、物体側の面が凸でメニスカス形状の負の第２レンズ、両レンズ面が凹形状の負の第３レンズ、両レンズ面が凸形状の正の第４レンズより成っている。また、第１レンズの物体側と像側のレンズ面は、共に正の非球面量を持つ非球面形状であり、本発明に係る第１非球面レンズＧ１に当たる。また、第２レンズの物体側の面は、負の非球面量を持つ非球面形状であり、本発明に係る第２非球面レンズＧ２に当たる。
【００７６】
第１レンズの物体側の面は、汎用フィルターの取り付けを可能にするためと、全系の小型化を達成するべく、条件式(１)を満たすような緩い曲率のレンズ形状としている。それにより、歪曲が発生してくるが、それを補正するために、第１レンズの物体側のレンズ面と像側のレンズ面を、正の非球面量を持つ非球面形状としている。像側の凹面を正の非球面量を持つ非球面形状とし、面の傾斜角を軽減している。
【００７７】
この時、正の非球面量を持つ非球面形状で、非点収差が生じてくるが、それを第２レンズの物体側の面を、負の非球面量を持つ非球面形状として、良好に補正している。また第２レンズは、物体側に凸面を向けたメニスカス形状の負レンズとすることで、軸外主光線の入射高が小さい像側の凹面で発散性の屈折力を得て、軸外主光線の入射高が大きい物体側の凸面で歪曲を補正している。その物体側の凸面を負の非球面量を持つ非球面形状とすることで、面の傾斜角を大きくすることなく、非点収差を効果的に補正している。
【００７８】
次に、第１レンズ群Ｌ１の屈折力は条件式（３）を満たしており、これにより全系の小型化を図りつつ歪曲収差を良好に補正している。
【００７９】
以上の方法により、広画角でありながら歪曲収差が少なく、高い光学性能を有する広画角のズームレンズを得ている。尚、第１非球面レンズＧ１の物体側と、像側の面は条件式（ｘａ１），（ｘｂ１）を満足し、第２非球面レンズＧ２の物体側の面は、条件式（ｘａ２）を満たしている。それにより、加工しやすいレンズ形状でかつ、各レンズでの収差補正の効果を十分に得ると共に、ズーミングにより軸外主光線の入射高が変動した時の非球面成分による激しい収差変動も抑制している。
【００８０】
実施例２は、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４より構成される。実施例２は広角端の撮影全画角が１０５度、変倍比２．１の４群ズームレンズである。
【００８１】
第１レンズ群Ｌ１は物体側より像側へ順に、物体側の面が凸でメニスカス形状の負の第１レンズ、物体側の面が凸でメニスカス形状の負の第２レンズ、両レンズ面が凹形状の負の第３レンズ、両レンズ面が凸形状の正の第４レンズより成っている。また、第１レンズの物体側と像側の面は、共に正の非球面量を持つ非球面形状であり、本発明の第１非球面レンズＧ１に当たる。また、第２レンズの物体側の面は、負の非球面量を持つ非球面形状であり、本発明の第２非球面レンズＧ２に当たる。各レンズ群や非球面レンズの働きは、実施例１と同様である。
【００８２】
実施例３は、レンズ群の数、各レンズ群の屈折力、ズーミングに際しての各レンズ群の移動条件等のズームタイプが実施例１と同じである。実施例３は広角端の撮影全画角が１０５度、変倍比２．１の５群ズームレンズである。第１レンズ群Ｌ１のレンズ構成、非球面レンズの非球面量、光学特性等は実施例１と同じである。
【００８３】
実施例４は、実施例１と同じズームタイプである。実施例４は、広角端の撮影全画角が１０５度、変倍比２．４の５群ズームレンズである。第１レンズ群Ｌ１のレンズ構成、非球面レンズの非球面量、光学特性等は実施例１と同じである。
【００８４】
以上、本発明のズームレンズの好ましい実施例について説明したが、本発明はこれらの実施例に限定されないことは言うまでもなく、その要旨の範囲内で種々の変形及び変更が可能である。
【００８５】
次に本発明の各実施例の数値実施例を示す。各数値実施例においてｉは物体側からの面の順序を示し、ｒｉはレンズ面の曲率半径、ｄｉは第ｉ面と第ｉ＋１面との間のレンズ肉厚および空気間隔、ｎｄｉ、νｄｉはそれぞれｄ線に対する材料の屈折率、アッベ数を示す。ＢＦはバックフォーカスであり、最終レンズ面から像面までの距離で示している。レンズ全長は第１レンズ面から最終レンズ面までの距離にバックフォーカスを加えた値である。
【００８６】
非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０，Ａ１２を各々非球面係数としたとき、
【００８７】
【数１】
2015206976.tif 000003
【００８８】
なる式で表している。また［ｅ＋Ｘ］は［×１０＋ｘ］を意味し、［ｅ−Ｘ］は［×１０＋ｘ］を意味している。非球面は面番号の後に＊を付加して示す。また、各光学面の間隔dが（可変）となっている部分は、ズーミングに際して変化するものであり、別表に焦点距離に応じた面間隔を記している。また、各光学面の有効径が（可変）となっている部分は、ズーミングに際して絞り径が変化する開放Ｆナンバー決定部材ＶＳＰであり、別表に可変面番号を「ｅａｉ」とし、焦点距離に応じた有効径を記している。また前述の各パラメータ及び各条件式と数値実施例の関係を表１に示す。
【００８９】
（数値実施例１）
単位 mm
面データ
面番号       r        d      nd         νd       有効径
1*         ∞       2.70   1.77250    49.6       56.63
2*        22.795    6.79                         42.46
3*        31.197    2.40   1.85400    40.4       42.02
4*        21.199   10.82                         35.51
5        -48.181    1.80   1.80400    46.6       35.46
6        943.990    2.44                         36.55
7         76.602    6.84   1.62588    35.7       38.46
8        -67.993  (可変)                         38.52
9        430.708    2.61   2.00100    29.1       29.70
10       -106.178    0.15                         29.91
11         55.269    1.50   1.84666    23.8       30.42
12         20.958    7.09   1.72047    34.7       29.45
13         93.729  (可変)                         29.33
14         51.488    4.93   1.49700    81.5       30.12
15       -104.904  (可変)                         29.94
16(絞り)(SP)∞       3.22                         25.13
17       -118.986    1.20   1.91082    35.3       24.29
18         21.459    4.46   1.84666    23.8       23.93
19         91.609    3.50                         23.89
20(VSP)     ∞     (可変)                         (可変)
21         22.418    8.02   1.43875    94.9       24.64
22        -43.618    0.15                         24.78
23*       182.817    1.60   1.85400    40.4       24.50
24         17.662   10.28   1.49700    81.5       24.22
25        -56.173                                 26.00
【００９０】
非球面データ
第1面
K  = 0.00000e+000  A 4= 1.56879e-005  A 6=-2.12877e-008 
A 8= 1.76522e-011  A10=-8.52647e-015  A12= 3.20079e-018  
第2面
K  = 0.00000e+000  A 4=-7.56574e-006  A 6= 1.02654e-008 
A 8= 6.93094e-012  A10=-3.60121e-013  A12= 2.52719e-016  
第3面
K  = 0.00000e+000  A 4=-3.36897e-005  A 6= 3.69178e-008 
A 8=-5.33325e-011  A10=-7.01350e-014  A12= 1.98358e-016  
第4面
K  =-1.47032e+000  A 4=-6.47782e-006  A 6= 3.19152e-008 
A 8=-9.55855e-011  A10= 2.78579e-013  A12= 4.81490e-017  
第23面
K  = 0.00000e+000  A 4=-9.20273e-006  A 6=-1.83819e-008 
A 8= 3.71506e-011  A10=-1.23191e-013  A12=-1.56347e-016  
各種データ
ズーム比     2.06 
広角     中間     望遠
焦点距離      16.48    23.60    33.95  
Fナンバー      2.90     2.90     2.90  
半画角（度）  52.70    42.51    32.51  
像高          21.64    21.64    21.64  
レンズ全長   177.02   161.56   156.44  
BF            38.00    44.49    56.64  
d 8           28.49    11.32     1.00  
d13           16.56    11.78     4.83  
d15            0.50     8.37    13.97  
d20           10.97     3.10    -2.50
ea20          16.88    19.26    24.39
ズームレンズ群データ
群  始面    焦点距離  レンズ構成長  前側主点位置  後側主点位置
1    1     -23.34        33.78         1.45        -30.69
2    9      69.95        11.35        -1.90         -7.95
3   14      70.23         4.93         1.09         -2.23
4   16     -49.54        12.38         4.71         -5.01
5   21      45.48        20.05         3.30        -11.22
【００９１】
（数値実施例２）
単位 mm
面データ
面番号       r        d      nd         νd       有効径
1*         ∞       2.70   1.77250    49.6       53.27
2*        22.080    7.61                         39.06
3*        36.990    2.40   1.85400    40.4       38.61
4*        20.215    8.77                         34.05
5        -58.371    1.80   1.83481    42.7       34.05
6        697.823    0.37                         35.28
7         59.901   10.28   1.64769    33.8       36.98
8        -48.449  (可変)                         37.23
9         49.418    1.50   1.84666    23.8       20.35
10         21.754    4.53   1.72047    34.7       20.22
11       9723.492    6.62                         20.30
12         61.977    2.75   1.49700    81.5       20.86
13       -138.157  (可変)                         20.76
14(絞り)    ∞      10.57                         18.30
15        -70.807    1.20   1.91082    35.3       16.57
16         27.994    2.72   1.84666    23.8       16.64
17       1123.942    1.00                         16.71
18          ∞     (可変)                         (可変)
19         22.635    8.43   1.43875    94.9       23.87
20        -36.594    0.15                         24.14
21*      1328.069    1.60   1.85400    40.4       23.79
22         18.657    9.48   1.49700    81.5       23.79
23        -60.578                                 25.50
【００９２】
非球面データ
第1面
K  = 0.00000e+000  A 4= 1.45361e-005  A 6=-2.14146e-008 
A 8= 1.68992e-011  A10=-7.07348e-015  A12= 3.98674e-018  
第2面
K  = 0.00000e+000  A 4=-5.22266e-006  A 6= 1.04802e-008 
A 8=-1.25539e-012  A10=-3.68653e-013  A12= 6.82685e-017  
第3面
K  = 0.00000e+000  A 4=-3.50776e-005  A 6= 3.67095e-008 
A 8=-6.24892e-011  A10=-7.49577e-014  A12= 2.54560e-016  
第4面
K  =-1.36619e+000  A 4=-1.45116e-005  A 6= 4.06011e-009 
A 8=-4.96578e-012  A10= 1.96453e-013  A12= 5.61681e-017  
第21面
K  = 0.00000e+000  A 4=-1.20520e-005  A 6=-2.54366e-008 
A 8= 5.26129e-011  A10=-1.60970e-013  A12=-1.56347e-016  
各種データ
ズーム比     2.06 
広角     中間     望遠
焦点距離      16.48    24.15    33.95  
Fナンバー      4.10     4.10     4.10  
半画角（度）  52.70    41.86    32.51  
像高          21.64    21.64    21.64  
レンズ全長   173.42   158.56   156.35  
BF            38.00    46.50    56.92  
d 8           36.99    13.63     1.00  
d13            0.50     6.73    13.97  
d18           13.47     7.24     0.00 
ea18          12.16    13.92    16.81 
ズームレンズ群データ
群  始面    焦点距離  レンズ構成長  前側主点位置  後側主点位置
1    1     -28.02        33.92        -2.03        -37.23
2    9      46.61        15.40         5.53         -7.12
3   14     -62.70        15.48        10.75         -2.91
4   19      48.81        19.66         2.67        -11.44
【００９３】
（数値実施例３）
単位 mm
面データ
面番号       r        d      nd         νd       有効径
1*         ∞       2.70   1.77250    49.6       57.84
2*        25.336    5.51                         44.56
3*        34.425    2.40   1.85400    40.4       43.89
4         22.738   11.38                         35.42
5        -59.117    1.80   1.77250    49.6       35.30
6        215.260    5.31                         35.20
7         72.428    5.36   1.64769    33.8       36.41
8       -115.224  (可変)                         36.34
9        229.270    2.80   2.00100    29.1       31.19
10       -125.410    0.15                         31.21
11         56.916    1.50   1.84666    23.8       30.89
12         20.742    7.35   1.72047    34.7       29.69
13         99.362  (可変)                         29.53
14         60.910    4.71   1.49700    81.5       30.10
15        -92.324  (可変)                         29.93
16(絞り)    ∞       3.59                         26.12
17       -100.556    1.20   1.91082    35.3       25.20
18         21.970    4.67   1.84666    23.8       24.92
19         97.505    3.50                         24.91
20          ∞     (可変)                         (可変)
21         22.568    8.09   1.43875    94.9       26.04
22        -44.561    0.15                         25.62
23*       218.429    1.60   1.85400    40.4       24.53
24         17.947   10.35   1.49700    81.5       24.06
25        -49.371                                 25.95
【００９４】
非球面データ
第1面
K  = 0.00000e+000  A 4= 2.01295e-005  A 6=-2.69333e-008 
A 8= 2.21559e-011  A10=-1.31043e-014  A12= 5.49611e-018  
第2面
K  = 0.00000e+000  A 4=-6.43510e-006  A 6= 3.16365e-008 
A 8=-1.56924e-011  A10=-3.48160e-013  A12= 3.70256e-016  
第3面
K  = 0.00000e+000  A 4=-2.01126e-005  A 6= 3.77034e-008 
A 8=-4.43369e-011  A10=-1.18752e-013  A12= 1.89041e-016  
第23面
K  = 0.00000e+000  A 4=-8.77862e-006  A 6=-1.80630e-008 
A 8= 5.29288e-011  A10=-1.59857e-013  A12=-1.56347e-016  
各種データ
ズーム比     2.06 
広角     中間     望遠
焦点距離      16.48    23.60    33.95  
Fナンバー      2.89     2.88     2.90  
半画角（度）  52.70    42.51    32.51  
像高          21.64    21.64    21.64  
レンズ全長   177.06   161.89   158.29  
BF            38.00    45.63    60.17  
d 8           31.70    12.99     1.00  
d13           15.40    11.32     5.16  
d15            0.50     6.84    10.33  
d20            7.33     0.99    -2.50 
ea20          16.90    19.79    25.50 
ズームレンズ群データ
群  始面    焦点距離  レンズ構成長  前側主点位置  後側主点位置
1    1     -24.08        34.46         1.63        -31.91
2    9      67.68        11.81        -1.84         -8.14
3   14      74.60         4.71         1.26         -1.91
4   16     -47.64        12.96         4.98         -5.22
5   21      45.00        20.18         3.90        -10.88
【００９５】
（数値実施例４）
単位 mm
面データ
面番号       r        d      nd         νd       有効径
1*         ∞       2.70   1.77250    49.6       55.70
2*        22.913    6.87                         41.66
3*        34.152    2.40   1.85400    40.4       41.07
4*        21.097   10.26                         34.37
5        -49.131    1.80   1.80400    46.6       34.30
6       2921.270    1.68                         35.10
7         68.035    6.37   1.64769    33.8       36.35
8        -71.454  (可変)                         36.29
9        130.888    2.29   2.00100    29.1       24.80
10       -189.388    0.15                         24.68
11         60.441    1.50   1.84666    23.8       24.34
12         19.802    5.37   1.72047    34.7       23.39
13        101.698  (可変)                         23.07
14         59.435    3.43   1.49700    81.5       24.07
15        -95.460  (可変)                         23.56
16(絞り)    ∞       2.94                         19.35
17       -129.859    1.20   1.91082    35.3       18.82
18         21.897    3.32   1.84666    23.8       18.69
19        118.432    1.00                         18.68
20          ∞     (可変)                         (可変)
21         22.027    8.34   1.43875    94.9       25.75
22        -40.199    0.15                         25.77
23*       235.762    1.60   1.85400    40.4       25.12
24         17.606    9.65   1.49700    81.5       24.54
25        -86.416                                 26.00
【００９６】
非球面データ
第1面
K  = 0.00000e+000  A 4= 1.66546e-005  A 6=-2.30653e-008 
A 8= 1.86622e-011  A10=-7.87831e-015  A12= 2.72259e-018  
第2面
K  = 0.00000e+000  A 4=-6.84110e-006  A 6= 1.38799e-008 
A 8= 1.35022e-012  A10=-3.73498e-013  A12= 2.61507e-016  
第3面
K  = 0.00000e+000  A 4=-3.13594e-005  A 6= 3.92384e-008 
A 8=-5.41127e-011  A10=-7.49810e-014  A12= 1.91660e-016  
第4面
K  =-1.33027e+000  A 4=-5.37488e-006  A 6= 2.96288e-008 
A 8=-9.07880e-011  A10= 3.04175e-013  A12= 3.93915e-017  
第23面
K  = 0.00000e+000  A 4=-1.07411e-005  A 6=-1.71910e-008 
A 8=-7.03467e-012  A10=-2.66539e-014  A12=-1.56347e-016  
各種データ
ズーム比      2.36 
広角     中間     望遠
焦点距離      16.48    24.40    38.90  
Fナンバー      4.12     4.12     4.12  
半画角（度）  52.70    41.56    29.08  
像高          21.64    21.64    21.64  
レンズ全長   177.74   162.40   159.73  
BF            38.00    45.51    63.40  
d 8           32.33    13.25     1.00  
d13           17.08    13.30     4.99  
d15            0.50     9.90    17.33  
d20           16.83     7.43     0.00  
ズームレンズ群データ
群  始面    焦点距離  レンズ構成長  前側主点位置  後側主点位置
1    1     -23.16        32.07         1.39        -28.82
2    9      70.53         9.31        -1.82         -6.81
3   14      74.25         3.43         0.89         -1.42
4   16     -57.92         8.46         4.05         -2.29
5   21      50.47        19.73         1.31        -12.51
【００９７】
【表１】
2015206976.tif 000004
【００９８】
次に実施例１乃至４に示したズームレンズを撮像装置に適用した実施例を、図１０を用いて説明する。
【００９９】
本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【０１００】
図１０は一眼レフカメラの要部概略図である。図１０において１０は実施例１乃至４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成装置に配置された焦点板４より構成されている。更に焦点板４に形成された逆像を正立像に変換するペンタダハプリズム５、その正立像を観察するための接眼レンズ６などによって構成されている。
【０１０１】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。実施例１乃至４にて説明した利益は本実施例に開示したような撮像装置において効果的に享受される。撮像装置としてクイックリターンミラー３のないミラーレスの一眼レフカメラにも同様に適用できる。
【符号の説明】
【０１０２】
Ｌ１  第１レンズ群      Ｌ２  第２レンズ群      Ｌ３  第３レンズ群
Ｌ４  第４レンズ群      Ｌ５  第５レンズ群      ＬＲ  後群
Ｇ１  第１非球面レンズ      Ｇ２  第２非球面レンズ
【図１】
2015206976.tif 000005
【図２】
2015206976.tif 000006
【図３】
2015206976.tif 000007
【図４】
2015206976.tif 000008
【図５】
2015206976.tif 000009
【図６】
2015206976.tif 000010
【図７】
2015206976.tif 000011
【図８】
2015206976.tif 000012
【図９】
2015206976.tif 000013
【図１０】
2015206976.tif 000014